Podtech/llm-jp-corpus-v4-ja_patent huggingface dataset:
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
ａ）一緒に結合されて個々の分子篩粒子より大きい触媒粒子を生成する分子篩粒子を含有する触媒粒子から構成される第一の乾燥された分子篩触媒を提供する工程、
ｂ）第一の乾燥された分子篩触媒を水と配合させ、水−触媒組成物を生成する工程であり、前記の水−触媒組成物は、第一の乾燥された分子篩触媒中に初めに存在する以外の他の分子篩を含有しない、工程、
ｃ）水−触媒組成物を混合してスラリーを生成する工程及び
ｄ）前記スラリーを乾燥させ、第二の乾燥させた分子篩触媒の粒子を生成する工程
を含む、触媒粒子を生成するために、乾燥された分子篩触媒を再生する方法。
【請求項２】
前記水−触媒組成物が、前記ｃ）において得られるスラリーが第一の乾燥した分子篩触媒に含有する粒子よりも小さい粒子を含有する、請求項１に記載の方法。
【請求項３】
前記ａ）から前記ｄ）の外に、ｅ）前記の第二の乾燥された分子篩触媒の粒子をか焼する工程をさらに含む、請求項１又は請求項２に記載の方法。
【請求項４】
前記第一の乾燥された分子篩触媒の粒度が、か焼後、その粒子の少なくとも１０重量％が２０μｍ以下の平均粒径を有するような粒度である、請求項２又は請求項３に記載の方法。
【請求項５】
前記第一の乾燥された分子篩触媒が、クレー、クレー種組成物及びそれらの混合物から成る群から選ばれる充填剤を含有する、請求項１乃至４のいずれか１請求項に記載の方法。
【請求項６】
(ｉ)分子篩、バインダー及び水を含有する組成物を混合する工程、
(ｉｉ)その組成物を乾燥し、一緒に結合されて個々の分子篩粒子より大きい触媒粒子を生成する分子篩粒子を含有する触媒粒子から構成される第一の乾燥された分子篩触媒を生成する工程、
(ｉｉｉ)工程(ｉｉ)において得られる第一の乾燥された分子篩を、請求項１乃至５のいずれか１請求項に記載の方法において用いる工程
を含む、望ましくない性質を有する分子篩触媒粒子を再循環させる方法。
【請求項７】
触媒粒子がか焼に付された後に、０.７重量％／時間以下の、好ましくは０.３重量％／時間以下の、ＥＭＡＲＩを有する触媒粒子を含有する、か焼された分子篩触媒組成物。
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
眼に処置を施すためのデバイスであって、ある長さおよびある外径を有し、基部端および末梢端ならびにそれらの間に延在する内空部を有する穿性部材であって、前記末梢端は、該デバイスによる挿入箇所を貫通するために十分に鋭利である前記穿性部材、および前記穿性部材内部において、スライド可能なように挿入できるカニューレを備え、前記カニューレは、穿性部材の長さよりも長いある長さを有し、かつ処置箇所に進入するために十分に鋭利な末梢端を有し、前記穿性部材の外径は、十分に小さいために、挿入箇所から穿性部材を除去した際に、前記挿入箇所のセルフシールがなされる、前記デバイス。
【請求項２】
眼に処置を施すためのデバイスであって、穿性部材および前記穿性部材内部に挿入可能なカニューレを備え、該カニューレは、穿性部材の長さよりも大きいある長さを有する、前記デバイス。
【請求項３】
ある長さを有し、基部端、および末梢端、ならびにそれらの間に内空部を有するハンドルを備え、前記ハンドルの末梢部は、穿性部材に取り付けられ、前記内空部は、カニューレに適合する大きさに作られている、請求項１または２に記載のデバイス。
【請求項４】
穿性部材の末梢端が傾いている、請求項１〜３のいずれかに記載のデバイス。
【請求項５】
穿性部材の外径が約２５ゲージである、請求項１〜４のいずれかに記載のデバイス。
【請求項６】
請求項１または請求項３〜５のいずれかに記載のデバイスであって、穿性部材の長さが約６〜４０ミリメートルであり、カニューレの長さが約３５〜７５ミリメートルであり、径を縮小されたカニューレの末梢部分が約１〜３ミリメートルである、前記デバイス。
【請求項７】
穿性部材がステンレス鋼製である、請求項１〜６のいずれかに記載のデバイス。
【請求項８】
カニューレがポリイミドチューブ製である、請求項１〜７のいずれかに記載のデバイス。
【請求項９】
患者の眼の網膜下への治療剤送達に適合した、請求項１〜８のいずれかに記載のデバイス。
【請求項１０】
眼に処置を施すためのデバイスであって、ある長さおよびある外径を有し、基部端および末梢端ならびにそれらの間に延在する内空部を有する穿性部材であって、前記末梢端は、該デバイスによる挿入箇所を貫通するために十分に鋭利である前記穿性部材と、穿性部材の前記内空部の内部に配置された硬質部材であって、基部端および末梢端ならびにそれらの間に延在する内空部を有し、前記穿性部材の長さよりも大きなある長さを有する前記硬質部材と、硬質部材の内空部に配置され、接続されたカニューレであって、前記穿性部材および硬質部材のそれぞれの長さよりもある大きな長さを有し、処置箇所に進入するために十分に鋭利である末梢端を有する前記カニューレ、とを備える、前記デバイス。
【請求項１１】
基部端および末梢端ならびにそれらの間に延在する内空部を有する多数の管をさらに備え、硬質部材の基部端は、前記管の末梢端の内部に、備え付けられ、接続されている、請求項１０に記載のデバイス。
【請求項１２】
基部端および末梢端ならびにそれらの間に延在する内空部を有する第一接続部品をさらに備え、前記第一接続部品の末梢端は穿性部品の基部端に接続されている、請求項１１に記載のデバイス。
【請求項１３】
第一接続部品の内空部および穿性部材の内空部が、縦方向に実質的に整列されている、請求項１２に記載のデバイス。
【請求項１４】
少なくとも第一接続部品の内空部の一部分を実質的に内包するように、第一接続部品に連通するシールをさらに備える、請求項１２に記載のデバイス。
【請求項１５】
穿性部材の外径が、十分に小さいために、挿入箇所から前記穿性部材を除去した際に、挿入箇所のセルフシールがなされる、請求項１０〜１４のいずれかに記載のデバイス。
【請求項１６】
穿性部材の末梢端が傾いている、請求項１０〜１４のいずれかに記載のデバイス。
【請求項１７】
眼に処置を施すためのデバイスであって、ある長さおよびある外径を有し、基部端および末梢端ならびにそれらの間に延在する内空部を有する穿性部材であって、前記末梢端は、該デバイスによる挿入箇所を貫通するために十分に鋭利である前記穿性部材、ある長さを有し、基部端および末梢端ならびに実質的に空隙である部分を有するハンドルであって、該ハンドルの末梢端は穿性部材に取り付けられ、前記ハンドルの内空部は、カニューレの外径を収納し得る大きさになっている、前記ハンドル、基部端および末梢端ならびにそれらの間に延在する内空部を有する多くの管であって、該管の末梢端は、前記ハンドルの実質的に空隙である部分に配置されている、前記管および管の内空部に接続され、少なくとも一部分がその内部に配置されているカニューレであって、実質的に管の内空部と接触するようなある外径を有し、処置箇所に進入するために十分に鋭利である末梢端を有する、前記カニューレ、を備える前記デバイス。
【請求項１８】
ハンドルの実質的な空隙部に設置され、管の末梢端に接続されるハウジングと、ハウジングに接続される動作部品、前記動作部品の末梢から基部への運動、および基部から末梢への運動について、ハウジング、および管に対応する運動を伝えるような、前記動作部品とを備える、請求項１７に記載のデバイス。
【請求項１９】
穿性部材の末梢端が傾いている、請求項１７または１８に記載のデバイス。
【請求項２０】
穿性部材の外径が、十分に小さいために、挿入箇所から前記穿性部材を除去した際に、挿入箇所のセルフシールがなされる、請求項１７〜１９のいずれかに記載のデバイス。
【請求項２１】
医療用デバイスキットであって、請求項１〜２０に記載のデバイスの１種、または２種以上のデバイスを備える、前記医療用デバイスキット。
【請求項２２】
１種、または２種以上のデバイスが、殺菌された状態でパッケージされている、請求項２１に記載のデバイスキット。
【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
粘着剤部分（１０６；５０６；６０６）および非粘着性プルタブ（１１２；２１２；４１２；５１２；６１２）を有する引張により剥離する粘着テープ条片（１０４；４０４；５０４；６０４）を使用して基材の上に搭載される、引張により剥離する粘着テープ物品（１０２；４０２；５０２）であって、該物品が、該テープ条片（１０４；４０４；５０４；６０４）を覆うベースプレート部分（１２０；２２０；４２０；５２０；６２０）を含む一体付着部材（１１８；２１８；５１８；６１８）を含み、該ベースプレート部分（１２０；２２０；４２０；５２０；６２０）が、該テープ条片粘着剤部分（１０６；５０６；６０６）を覆う第１部分（１２４；２２４；４２４；５２４；６２４）と、該テープ条片の非粘着性プルタブ（１１２；２１２；４１２；５１２；６１２）を覆う可撓性カバー部分（１２６；２２６；４２６；５２６；６２６）とを含み、該カバー部分（１２６；２２６；４２６；５２６；６２６）は該ベースプレート第１部分（１２４；２２４；４２４；５２４；６２４）よりも可撓性であり、使用者が手で強制的に該プルタブ（１１２；２１２；４１２；５１２；６１２）から該カバー部分（１２６；２２６；４２６；５２６；６２６）を遠ざけて、該プルタブ（１１２；２１２；４１２；５１２；６１２）にアクセスすることができ、それによって使用者が該テープ条片（１０４；４０４；５０４；６０４）を該一体付着部材（１１８；２１８；５１８；６１８）および該基材から引張により除去することを可能とする、引張により剥離する粘着テープ物品（１０２；４０２；５０２）。
【請求項２】
前記ベースプレートの第１部分（１２４；２２４；４２４；５２４；６２４）が第１の材料で形成され、該カバー部分（１２６；２２６；４２６；５２６；６２６）が第２の材料で形成され、該第２の材料が該第１の材料よりも高い可撓性を有している、請求項１に記載の引張により剥離する粘着テープ物品（１０２；４０２；５０２）。
【請求項３】
前記ベースプレート部分（１２０；２２０；４２０；５２０；６２０）が、第１および第２の互いに反対側に位置する主表面を含み、さらに、該ベースプレート部分（１２０；２２０；４２０；５２０；６２０）が該第２主表面から延在する保持部分（５４２）を含む、請求項１に記載の引張により剥離する粘着テープ物品（１０２；４０２；５０２）。
【請求項４】
前記カバー部分（１２６；２２６；４２６；５２６；６２６）が、相互係合する部分（５２６ｄ）付きの終端を有する細長いストラップ（５２６ｃ）であり、さらに、前記保持部分（５４２）が、該互いに係合する部分（５２６ｄ）を受けるための鞍形であり、それによって前記ベースプレート部分（１２０；２２０；４２０；５２０；６２０）に固定する関係で該互いに係合する部分（５２６ｄ）を保持する、請求項１に記載の引張により剥離する粘着テープ物品（１０２；４０２；５０２）。
【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
超吸収性重合体、及び
該超吸収性重合体で含浸された高ロフト不織ウエブを包含する組成体を包含し、
該超吸収性重合体はその場で形成されたものであり、
該組成体は１０重量％〜約９０重量％の超吸収性重合体を包含するコアを有する吸収性物品。
【請求項２】
該組成体が少なくとも５０重量％の超吸収性重合体を包含する請求項１に記載の吸収性物品。
【請求項３】
該不織ウエブが０．０１g/cm3より少ない密度を有し、該不織ウエブが２２g/m2より大きい基礎重量を有する請求項１に記載の吸収性物品。
【請求項４】
該コアが更にセルロース繊維を包含し、該物品が更に捕捉層を包含し、該セルロース繊維が該捕捉層及び該組成体の間に配置されており、該超吸収性重合体が、水性組成物と接触したときに高ロフト不織ウエブのマトリックス内に留まっている請求項１、２又は３のいずれかに記載の吸収性物品。
【請求項５】
該超吸収性重合体が
α-β-エチレン性不飽和カルボン酸単量体から誘導された重合体であって、中和されたカルボン酸基を有する重合体、及び
架橋剤、
の反応性生成物を包含する請求項１、２又は３のいずれかに記載の吸収性物品。
【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
合成重合体繊維、
第１表面、
第１表面に対向する第２表面、
超吸収性重合体に含浸されている第１区域、第１区域は第１表面から第２表面に向かって不織ウエブ内に延びており、超吸収性重合体は第１区域内でその場で形成されたものであり、及び
本質的に超吸収性重合体を含まず、第２表面から第１表面に向かって不織ウエブ内に延びている第２区域、
を具備する不織ウエブを包含する吸収性物品。
【請求項２】
第２区域が、流体捕捉、流体分配又はその組合せを包含する特性を示す請求項１に記載の吸収性物品。
【請求項３】
合成重合体繊維がポリエステル、ポリオレフィン、ポリアミド、ポリウレタン、ポリアクリロニトリル、又はそれらの組合せを包含する請求項１に記載の吸収性物品。
【請求項４】
不織ウエブの第１区域を超吸収性重合体前駆体及び架橋剤を包含する水性組成物に含浸させ、第１区域は該ウエブの第１表面から該ウエブの第１表面に対向する該ウエブの第２表面が超吸収性重合体前駆体を含まないように該ウエブの深さに延びており、
そして該組成物を乾燥することを包含する、吸収性物品の製造方法。
【手続補正書】
【提出日】平成18年4月27日(2006.4.27)
【手続補正１】
【補正対象書類名】特許請求の範囲
【補正対象項目名】請求項４
【補正方法】変更
【補正の内容】
【請求項４】
前記角膜（１１）と接触する表面が最小化されていることを特徴とする、請求項１〜３のいずれか一項に記載の装置。
【手続補正２】
【補正対象書類名】特許請求の範囲
【補正対象項目名】請求項５
【補正方法】変更
【補正の内容】
【請求項５】
変性細胞が停滞する前記フラスコの底より上側の位置に前記角膜（１１）を、脚部（５）などのような支持要素によって、位置決めするように、前記支持体（１）が、前記取扱い要素（９）によって保持されていることを特徴とする、請求項１〜４のいずれか一項に記載の装置。
【手続補正３】
【補正対象書類名】特許請求の範囲
【補正対象項目名】請求項６
【補正方法】変更
【補正の内容】
【請求項６】
支持体（１）が、顕微鏡下の分析中に前記角膜（１１）上へ光を直接通すことを可能にする少なくとも１つの開口部（３）を有することを特徴とする、請求項１〜５のいずれか一項に記載の装置。
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
縫合糸の長さ方向部分が無結節式に固定される縫合糸固定具装置であって、
近位端と、遠位端と、縫合糸の長さ方向部分を前記近位端からルーメン内に導入することができるように前記近位端に設けられたルーメン開口とを有する固定具本体と、
前記固定具本体のルーメン内に位置する複数の縫合糸係止要素と、
を備え、
前記縫合糸係止要素の各々は、それぞれの第１の位置から第２の位置まで前記ルーメン内を移動可能であり、
前記複数の縫合糸係止要素は、その第１の位置において、互いと共に、少なくとも一つの軸線方向通路を形成し、この軸線方向通路は、それを通る前記縫合糸の長さ方向部分の軸線方向移動を可能にするように寸法決めされ、
前記縫合糸係止要素は、その第２の位置において、前記軸線方向通路を不規則な断面に変形させて又は前記縫合糸の長さ方向部分を前記軸線方向通路内で締めつけるように前記軸線方向通路の寸法を減少させて、前記軸線方向通路を通る縫合糸の長さ方向部分の軸線方向移動を実質的に制限することを特徴とする縫合糸固定具装置。
【請求項２】
前記軸線方向通路は、前記ルーメンのほぼ中心に配置され、
前記縫合糸係止要素の各々は、前記ルーメンの中心に向けて前記第１の位置から前記第２の位置まで移動することを特徴とする請求項１に記載の縫合糸固定具装置。
【請求項３】
前記縫合糸係止要素の少なくとも１つは、前記第１の位置から前記第２の位置まで、他の縫合糸係止要素と異なる方向に移動することを特徴とする請求項２に記載の縫合糸固定具装置。
【請求項４】
軸線方向に積み重ねられ且つ前記ルーメン内で半径方向に移動するように配置された少なくとも３つの縫合糸係止要素を含み、
隣接した前記縫合糸係止要素同士は反対方向に移動することを特徴とする請求項３に記載の縫合糸固定具装置。
【請求項５】
前記縫合糸係止要素は、実質的にＣ字形状であり、その各々は、前記軸線方向通路の約４分の３を取り囲んで前記軸線方向通路を形成することを特徴とする請求項２又は請求項４に記載の縫合糸固定具装置。
【請求項６】
更に、異なる縫合糸係止要素と接触し且つそれらを前記第１の位置から前記第２の位置まで異なる方向に移動させるように、前記ルーメン内を軸線方向に移動可能な一対の縫合糸係止プラグを有することを特徴とする請求項３に記載の縫合糸固定具装置。
【請求項７】
前記縫合糸係止要素は、それぞれの前記第１の位置からそれぞれの前記第２の位置まで前記ルーメン内を半径方向に移動するように構成されることを特徴とする請求項１に記載の縫合糸固定具装置。
【請求項８】
更に、前記縫合糸係止要素の少なくともいくつかと接触し且つそれらを前記第１の位置から前記第２の位置まで移動させるように、前記ルーメン内を軸線方向に移動可能な縫合糸係止プラグを有することを特徴とする請求項７に記載の縫合糸固定具装置。
【請求項９】
軸線方向に積み重ねられ且つ前記ルーメン内を半径方向に移動するように構成された少なくとも３つの縫合糸係止要素を有し、
隣接した縫合糸係止要素は反対方向に移動することを特徴とする請求項８に記載の縫合糸固定具装置。
【請求項１０】
更に、前記縫合糸係止要素の少なくとも１つと接触し且つそれを前記第１の位置から前記第２の位置まで移動させるように、前記ルーメン内を軸線方向に移動可能な縫合糸係止プラグを有することを特徴とする請求項１に記載の縫合糸固定具装置。
【請求項１１】
前記縫合糸係止プラグは、第１の断面寸法を有し、
更に、前記第１の寸法よりも小さい第２の断面寸法を有する作動ロッドを有し、
前記作動ロッドは、前記縫合糸係止プラグの近位端に取外し可能に取り付けられ、前記固定具本体の近位端から突出し、前記縫合糸係止プラグを前記ルーメン内で軸線方向に移動させるために用いられることを特徴とする請求項１０に記載の縫合糸固定具装置。
【請求項１２】
更に、前記作動ロッドに沿う張力脆弱点を有し、それにより、接触した前記少なくとも１つの縫合糸係止要素の各々が前記第１の位置から前記第２の位置に移動した後、前記作動ロッドに対して所定の引張力を近位方向に加える時、ワイヤが前記縫合糸係止プラグから分離することを可能にすることを特徴とする請求項１１に記載の縫合糸固定具装置。
【請求項１３】
軸線方向に積み重ねられ且つ前記ルーメン内を半径方向に移動するように構成された少なくとも２つの縫合糸係止要素を有し、
隣接した縫合糸係止要素は反対方向に移動することを特徴とする請求項１０に記載の縫合糸固定具装置。
【請求項１４】
２つの軸線方向通路と２つの縫合糸の長さ方向部分とを有し、
前記長さ方向部分の各々は、前記ルーメンの直径方向反対側に且つ前記固定具本体の壁に当接して配置され、
前記縫合糸係止要素の各々は、前記第１の位置から前記第２の位置まで移動したとき、前記軸線方向通路の一方に向かって移動することを特徴とする請求項１０に記載の縫合糸固定具装置。
【請求項１５】
各前記縫合糸係止要素は、前記縫合糸係止プラグが接触して前記縫合糸係止要素を移動させる、前記ルーメンの中心からオフセットした開口を有し、
隣接した縫合糸係止要素の開口は、前記縫合糸係止プラグの軸線方向移動により、隣接した縫合糸係止要素を異なる方向に移動させるように異なる方向にオフセットされる、ことを特徴とする請求項１４に記載の縫合糸固定具装置。
【請求項１６】
前記固定具本体は、更に、それに取り付けられた縫合糸戻り部材を含み、前記縫合糸の長さ方向部分は、前記近位端から前記ルーメン内に通され、前記軸線方向通路の中を通り、前記縫合糸戻り部材の周りでループを形成し、前記軸線方向通路の中を通って戻り、前記近位端を通って前記ルーメンから外に通すことができることを特徴とする請求項１に記載の縫合糸固定具装置。
【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】
（ａ）整形外科用固定システムの第１要素を捕捉するように構成された第１捕捉部材と、
（ｂ）整形外科用固定システムの第２要素を捕捉するように構成された第２捕捉部材とを備え、第２捕捉部材は、第１捕捉部材と第２捕捉部材が互いに対して３つの軸について回転可能であり、かつ第２捕捉部材が第２要素の１つの軸について回転可能である共にその軸に沿って移動可能なように第１捕捉部材に結合され、
この結合は、作動により第１及び第２捕捉部材を回転から固定するように構成され、
第２捕捉部材は、第２要素の縦軸に対して実質的に垂直な方向から第２要素を掴むことによって第２要素を捕捉するように構成される外部固定コンポーネント。
【請求項２】
作動は、第２要素の軸についての回転及びその軸に沿った移動から第２部材を固定する請求項１に記載のコンポーネント。
【請求項３】
第１捕捉部材は、第１要素の縦軸に対して実質的に垂直な方向から第１固定要素を掴むことによって第１固定要素を捕捉するように構成される請求項１又は２に記載のコンポーネント。
【請求項４】
結合は、少なくとも１つのボールソケット結合を含み、作動は、第１及び第２捕捉部材を連結するコネクタに張力を加える請求項１〜３の何れか１つに記載のコンポーネント。
【請求項５】
結合は、調節可能な方法でコネクタに張力を加えるように構成される請求項４に記載のコンポーネント。
【請求項６】
ボールソケット結合は、実質的に同一の回転中心を共有する請求項４に記載のコンポーネント。
【請求項７】
一方の捕捉部材が固定可能であり、他方の捕捉部材が回転可能である請求項１〜３の何れか１つに記載のコンポーネント。
【請求項８】
各捕捉部材は、ベースと、ベースに可動に結合されるヘッドをさらに備え、ヘッドが第１位置に移動すると固定要素がベースとヘッドの間で捕捉される位置に配置され、ヘッドが第２位置に移動すると固定要素がベースとヘッドの間で捕捉されるように、ヘッドの移動は、実質的に面内で起こる請求項１〜３の何れか１つに記載のコンポーネント。
【請求項９】
ヘッドとベースの間の移動の少なくとも一部は、スライド移動である請求項８に記載のコンポーネント。
【請求項１０】
ヘッドは、第２位置に向かってバイアスされている請求項８に記載のコンポーネント。
【請求項１１】
各捕捉部材のヘッドは、ウェッジをさらに備え、各捕捉部材のベースは、グルーブをさらに備える請求項８に記載のコンポーネント。
【請求項１２】
各捕捉部材のウェッジ及びグルーブは、固定要素を収容するように構成されたチャネルを形成する請求項１１に記載のコンポーネント。
【請求項１３】
コネクタと、
第１の捕捉部材のベースの開口部の内側にネジ山をさらに備え、
開口部は、第１留め具を収容するように構成され、
第１留め具は、ベースの内側のネジ山と噛み合うように構成されたネジ山付きの端部をさらに備え、
コネクタの端部に隣接したバイアス部材をさらに備え、第１留め具のネジ山付きの端部は、バイアス部材に隣接し、
第２留め具にあるネジ山と噛み合うように構成されたネジ山をコネクタの第２部分にさらに備える請求項８に記載のコンポーネント。
【請求項１４】
第１留め具の締め付けは、第１捕捉部材を固定し、第２留め具の締め付けは、第２捕捉部材を固定する請求項１３に記載のコンポーネント。
【請求項１５】
各捕捉部材は、バー、ピン、ワイヤ又は少なくとも部分的なリングを収容するように構成される請求項１〜３の何れか１つに記載のコンポーネント。
【請求項１６】
一方の捕捉部材は、バーを収容するように構成され、他方の捕捉部材は、ワイヤ、ピン又は少なくとも部分的なリングを収容するように構成される請求項１〜３の何れか１つに記載のコンポーネント。
【請求項１７】
第１捕捉部材は、内面及び外面を有する遊星部材を備え、かつコネクタを収容するように構成された開口部を含み、
第２捕捉部材は、遊星部材の外面を収容すると共にこの外面と形状がほぼ対応するように構成された協働面を備え、かつコネクタを収容するように構成された開口部を含む請求項１〜３の何れか１つに記載のコンポーネント。
【請求項１８】
遊星部材の内面に形状がほぼ対応すると共にこの内面に収容されるように構成された第１部分と、第２捕捉部材の協働面にある開口部を通って延びるように構成された第２部分を含むコネクタさらに備え、
コネクタの第１部分は、遊星部材の内面に対して押し付けられて固定され、遊星部材の外面は、協働面に対して押し付けられて固定され、固定コンポーネントは、互いに対して方向が合わせられて位置が固定され、固定が解除されたとき、各捕捉部材は、他方の捕捉部材に対して１つを超える軸について回転可能である請求項１７に記載のコンポーネント。
【請求項１９】
コネクタの第１部分は、ほぼ球状の端部を備え、コネクタの第２部分は、シャフトを備える請求項１８に記載のコンポーネント。
【請求項２０】
コネクタは、第２捕捉部材にあるスロットに収容されるように構成されたキーをさらに備える請求項１８に記載のコンポーネント。
【請求項２１】
コネクタの第１部分に隣接したバイアス部材をさらに備える請求項１８に記載のコンポーネント。
【請求項２２】
遊星部材及び協働面は、ほぼ球状である請求項１８に記載のコンポーネント。
【請求項２３】
遊星部材の内面と、協働面は、テーパー付きである請求項１８に記載のコンポーネント。
【請求項２４】
遊星部材と協働面は、テクスチャ状である請求項１８に記載のコンポーネント。
【請求項２５】
請求項１〜３の何れか１つに記載のコンポーネントと、複数の固定要素を備える外部固定システム。
【請求項２６】
固定要素は、少なくとも１つのバー、少なくとも１つのピン、少なくとも１つのワイヤ又は少なくとも１つの少なくとも部分的なリングを備える請求項２５に記載のシステム。
【請求項２７】
請求項１〜３の何れか１つに記載のコンポーネントを備える外部固定装置。
【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
血管の穴を閉鎖するデバイスであって、該穴は、血管壁の外側領域の外側開口部と血管壁の内側領域の内側開口部とを有しており、該デバイスは、
長手方向軸線を有し、穴の内側開口部に接して血管の内側に設置可能な細長い部材を備えており、細長い部材は、穴を通って流体が流出するのを阻止するために、穴の内側開口部の寸法に少なくとも実質的に等しい寸法を有し、
該デバイスは、
細長い部材を適所に保持するのを支援するために血管の外側に設置可能な少なくとも２本の湾曲した脚部を備えている、デバイス。
【請求項２】
前記少なくとも２本の湾曲した脚部は形状記憶材から構成されたワイヤである、請求項１に記載のデバイス。
【請求項３】
前記細長い部材は第１端および第２端と長さ寸法および幅寸法を有しており、長さ寸法は幅寸法を超過しており、さらに、前記細長い部材は、第１の幅の第１部分、及び前記第１の幅よりも大きい第２の幅の第２部分を有する、請求項１に記載のデバイス。
【請求項４】
前記細長い部材は再吸収性材料から構成されている、請求項１に記載のデバイス。
【請求項５】
前記湾曲した脚部は、金属材の１個の素子から形成されている、請求項１に記載のデバイス。
【請求項６】
前記細長い部材は端部では第１の厚さを有しており、中心部ではそれより大きい第２の厚さを有している、請求項３に記載のデバイス。
【請求項７】
前記少なくとも２本の脚部は２本の脚部が互いから約180度離れた位置に配置される、請求項１に記載のデバイス。
【請求項８】
外側チューブと、外側チューブの内部に滑動自在に配置されるプッシャーとを備え、閉鎖デバイスを搬送する搬送器具と共に使用され、前記プッシャーは、前記脚部に係合して外側チューブから前記細長い部材を前進させる、請求項１に記載のデバイス。
【請求項９】
前記プッシャーを初期位置と、維持部材を配備する前進後の位置とに維持する維持機構を更に備えている、請求項８に記載のシステム。
【請求項１０】
血管の穴を閉鎖する装置であって、該装置は、
穴被覆部材と、被覆部材に接続された少なくとも１本の脚部を有する閉鎖デバイスを備え、被覆部材と少なくとも１本の脚部は挿入位置と配備位置との間で可動であり、
挿入位置では、被覆部材は穴の長手方向軸線に実質的に平行であり、配備位置では、被覆部材は穴の第１の側では穴の長手方向軸線に実質的に垂直であり、挿入位置では、少なくとも１本の脚部は実質的に真っ直ぐな位置にあり、配備位置では、脚部は湾曲形状を有しており、穴の第２の側にある組織を把持するように構成されている、装置。
【請求項１１】
前記少なくとも１本の脚部は、配備位置では、血管に向けて下方向に延び、穴に向けて内向きに延びているワイヤ素子から構成されている、請求項１０に記載の装置。
【請求項１２】
前記少なくとも１本の脚部は、形状記憶材料から構成されている、請求項１０に記載の装置。
【請求項１３】
前記穴被覆部材は、再吸収性材料から構成されている、請求項１２に記載の装置。
【請求項１４】
前記穴被覆部材は拡大幅部分を有している、請求項１３に記載の装置。
【手続補正書】
【提出日】平成18年2月2日(2006.2.2)
【手続補正１】
【補正対象書類名】特許請求の範囲
【補正対象項目名】全文
【補正方法】変更
【補正の内容】
【特許請求の範囲】
【請求項１】
加圧ガス源と、
使用時に前記ガス源と流体連通し、使用時に前記ガスを加湿するように構成されている加湿手段と、
使用時に前記加湿手段と流体連通し、使用時に前記加湿されたガスを輸送するように構成されている加湿ガス輸送手段と、
該輸送手段内に配置され、使用時に前記ガスが前記輸送手段を通過するときに該ガスを加熱するように構成されている加熱手段と、
前記加湿ガスを前記患者に供給する鼻腔カニューレと、を備え、
該鼻腔カニューレは、毎分３０リットルより多い高流量での前記加湿ガスの輸送を可能にし前記患者の気道に正の気道圧を生じさせる少なくとも１つの大径導管を含み、
前記鼻腔カニューレは、使用時に前記輸送手段と流体連通するように構成されている、
ことを特徴とする呼吸補助装置。
【請求項２】
前記カニューレは、前記患者の鼻孔の中をシールしない２つの鼻腔プロングが設けられている、
請求項１に記載の呼吸補助装置。
【請求項３】
前記鼻腔プロングが、前記患者の鼻道に解剖学的に適合する形状にされている、
請求項２に記載の呼吸補助装置。
【請求項４】
前記鼻腔プロングが、鼻中隔に向けて内向きに曲げられ、円形又は楕円形の形状であるか、或いは前記患者の鼻孔の内側形状に対応する形状にされている、
請求項２または３に記載の呼吸補助装置。
【請求項５】
前記鼻腔プロングの各々が、ガスの流れを前記患者の頭部の後方に向け、それにより前記ガスが前記患者の鼻道をまっすぐに流れるようにする、
請求項２ないし請求項４のいずれか１項に記載の呼吸補助装置。
【請求項６】
前記加湿手段、前記加湿ガス輸送手段、及び前記鼻腔カニューレの１つが、前記プロングが不適切に、はめられ又は前記患者の鼻孔内でシール状態にされたときに、ガス圧を確実に解放するための圧力逃がし弁を含んでいる、
請求項１ないし請求項５のいずれか１項に記載の呼吸補助装置。
【請求項７】
前記ガスの大部分が酸素ガスからなる、
請求項１ないし請求項６のいずれか１項に記載の呼吸補助装置。
【請求項８】
前記大部分が２１％より多い、
請求項７に記載の呼吸補助装置。
【請求項９】
前記加熱手段が、前記輸送手段内に、その全体にわたり、又はその周りに配置された加熱ワイヤを含む、
請求項１に記載の呼吸補助装置。
【請求項１０】
前記加熱手段が、飽和点より高い温度に前記ガスを維持するように構成されている、
請求項１または９のいずれか１項に記載の呼吸補助装置。
【手続補正２】
【補正対象書類名】明細書
【補正対象項目名】０００８
【補正方法】変更
【補正の内容】
【０００８】
したがって、第１の態様で、本発明は、
加圧ガス源と、
使用時に前記ガス源と流体連通し、使用時に前記ガスを加湿するように構成されている加湿手段と、
使用時に前記加湿手段と流体連通し、使用時に前記加湿されたガスを輸送するように構成されている加湿ガス輸送手段と、
該輸送手段内に配置され、使用時に前記ガスが前記輸送手段を通過するときに該ガスを加熱するように構成されている加熱手段と、
前記加湿ガスを前記患者に供給する鼻腔カニューレと、を備え、
該鼻腔カニューレは、毎分３０リットルより多い高流量での前記加湿ガスの輸送を可能にし前記患者の気道に正の気道圧を生じさせる少なくとも１つの大径導管を含み、
前記鼻腔カニューレは、使用時に前記輸送手段と流体連通するように構成されている、
ことを特徴とする呼吸補助装置である。
【手続補正３】
【補正対象書類名】明細書
【補正対象項目名】００１４
【補正方法】変更
【補正の内容】
【００１４】
鼻腔カニューレ
患者の鼻腔３１内に配置されたときの本発明の鼻腔カニューレ３０が、図３の側面図に示されている。吸気口チューブ３２の一端は、導管６の端部７（図１参照）に取り付けてあり、加圧ガス供給源から加湿器を通って流れるガスを受け入れる。チューブ３２の他方の端は、Ｙ字形接続部で終端し、Ｙ字のアームの各々はチューブ３３、３４である。これらのチューブはカニューレの二つの鼻腔プロングに接続される。吸気口チューブ３２とチューブ３３、３４の直径は、患者への供給前のガスの圧力降下が最小限となることを保証するために、可能な限り大きくされる。
【手続補正４】
【補正対象書類名】明細書
【補正対象項目名】００１５
【補正方法】変更
【補正の内容】
【００１５】
図３から図６を参照すると、二つの鼻腔プロング４０、４１が本体４４に作動的に取り付けてある。ガスは、吸気口チューブ３２から流れ、Ｙ字形接続部で二つのチューブ３３、３４に分枝し、これらのチューブは、鼻腔プロング４０、４１に作動的に取り付けられている。各プロング４０、４１は、対応する患者の鼻腔の中に延びる。プロング４０、４１と本体４４は、ストラップ４３によって患者の顔に取り付けられている。ストラップ４３は、例えば患者の頭部サイズに適合するように調節可能なＶＥＬＣＲＯ（登録商標）のような適切な締結手段によって本体に取り付けられており、プロング４０，４１が患者の鼻腔内にとどまることと、本体４４が患者の顔に接触して快適に適合することを保証する。
【手続補正５】
【補正対象書類名】明細書
【補正対象項目名】００２１
【補正方法】変更
【補正の内容】
【００２１】
一つの実施形態による本発明のカニューレは、流れの抵抗と進入速度を最小にする大口径カニューレから成る。成人にとっては、おおよそ６ｍｍのプロング直径が適切である（実際の直径はカニューレの形状による）と見出されており、これを従来技術における２〜３ｍｍと比較する。このことによって、本発明では酸素の濃いガスを３０Ｌ／ｍｉｎ以上で供給可能となり、一方で小孔径カニューレによる従来技術のシステムは、絶対最大値６Ｌ／ｍｉｎのドライガスか又は２０Ｌ／ｍｉｎの加湿ガスしか供給できない。それは次の理由による。
【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
アレルギー性炎症を処置するための医薬の製造のためのＴＳＬＰ／ＩＬ−５０（配列番号１）のアンタゴニストもしくはＴＳＬＰ／ＩＬ−５０Ｒ（配列番号２、３）のアンタゴニストの使用であって、該アレルギー性炎症が、喘息；鼻炎；アトピー性皮膚炎；および食物アレルギーからなる群より選択される、使用。
【請求項２】
請求項１に記載の使用であって、前記アンタゴニストは、以下：
ａ）ヒト化抗体；
ｂ）モノクローナル抗体；
ｃ）ポリクローナル抗体；
ｄ）Ｆａｂフラグメント；
ｅ）Ｆ（ａｂ’）２フラグメント、
を含む、使用。
【請求項３】
免疫抑制を処置するための医薬の製造のためのＴＳＬＰ／ＩＬ−５０（配列番号１）のアゴニストもしくはＴＳＬＰ／ＩＬ−５０Ｒ（配列番号２、３）のアゴニストの使用。
【請求項４】
請求項３に記載の使用であって、前記免疫抑制が、ＨＩＶ感染によって引き起こされる、使用。
【請求項５】
請求項３または請求項４に記載の使用であって、前記アゴニストが、ＴＳＬＰ／ＩＬ−５０（配列番号１）を含む、使用。
【請求項６】
アレルギー性炎症を処置するための、ＴＳＬＰ／ＩＬ−５０（配列番号１）のアンタゴニストもしくはＴＳＬＰ／ＩＬ−５０Ｒ（配列番号２、３）のアンタゴニストを含む組成物であって、該アレルギー性炎症が、喘息；鼻炎；アトピー性皮膚炎；および食物アレルギーからなる群より選択される、組成物。
【請求項７】
請求項６に記載の組成物であって、前記アンタゴニストは、以下：
ａ）ヒト化抗体；
ｂ）モノクローナル抗体；
ｃ）ポリクローナル抗体；
ｄ）Ｆａｂフラグメント；
ｅ）Ｆ（ａｂ’）２フラグメント、
を含む、組成物。
【請求項８】
免疫抑制を処置するための、ＴＳＬＰ／ＩＬ−５０（配列番号１）のアゴニストもしくはＴＳＬＰ／ＩＬ−５０Ｒ（配列番号２、３）のアゴニストを含む、組成物。
【請求項９】
請求項８に記載の組成物であって、前記免疫抑制が、ＨＩＶ感染によって引き起こされる、組成物。
【請求項１０】
請求項８または請求項９に記載の組成物であって、前記アゴニストが、ＴＳＬＰ／ＩＬ−５０（配列番号１）を含む、組成物。
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
飲料材料及び高温の圧力水源から飲料を作成するための飲料システムであって、
内部に飲料材料を有するカートリッジ
を備え、
前記カートリッジは飲料材料の付近に位置決めされたシーリング層を有しており、
更に、
飲料材料から飲料を作成するために、高温の圧力水を前記カートリッジ内に注入するための注入システム
を備えた飲料システム。
【請求項２】
前記注入システムが、前記シーリング層を貫くために注入ノズルを備える請求項１の飲料システム。
【請求項３】
前記注入システムが、前記注入ノズルの付近に位置決めされた注入ヘッドを備える請求項２の飲料システム。
【請求項４】
前記注入ヘッドが、前記注入ヘッドと前記カートリッジとの間のシールを作るように前記注入ノズルの付近に位置決めされたシール用リングを備える請求項３の飲料システム。
【請求項５】
前記注入システムが、前記カートリッジの付近で前記注入ヘッドを操作するために駆動システムを備える請求項３の飲料システム。
【請求項６】
前記駆動システムが、前記カートリッジの付近で前記注入ヘッドを操作するために偏心カムを備える請求項５の飲料システム。
【請求項７】
前記駆動システムが、前記注入ヘッドを、約１３５から約１６０ｋｇの力で前記カートリッジに接触させるように操作する請求項５の飲料システム。
【請求項８】
前記カートリッジが第１の端部を備え、前記第１の端部は、前記注入ノズルが前記シーリング層は貫くがインサートは貫かないように前記シーリング層の下方の所定の距離に位置決めされた前記インサートを備える請求項２の飲料システム。
【請求項９】
前記カートリッジが第２の端部と第２のシーリング層とを備え、前記第２のシーリング層は、圧力の適用下でミシン孔区域が前記第２のシーリング層から外れ得るような前記ミシン孔区域を備える請求項８の飲料システム。
【請求項１０】
前記シーリング層が箔よりなる請求項１の飲料システム。
【請求項１１】
熱水源及び多数の飲料材料容器から飲料を作るための飲料システムであって、
プレート
を備え、
前記プレートが複数の開口を備え、前記複数の開口は飲料材料容器に適応した寸法にされ、
更に、
前記プレートの付近に位置決めされた注入ステーション
を備え、
前記注入ステーションは、飲料を作るために、熱水源からの熱水を飲料材料容器に注入するための手段を備える
前記飲料システム。
【請求項１２】
熱水源及び多数の飲料材料容器から飲料を作るための飲料システムであって、
飲料材料容器を操作するための輸送組立体、
前記輸送組立体に隣接して位置決めされ、前記輸送組立体上に飲料材料容器を装填するための装填用組立体、
前記輸送組立体に隣接して位置決めされ、熱水源からの熱水を飲料材料容器に注入するための注入ステーション、及び
前記輸送組立体に隣接して位置決めされ、前記輸送組立体から飲料材料容器を取り去るための排出ステーション
を備える前記飲料システム。
【請求項１３】
飲料材料容器から飲料を作成するための飲料システムであって、
１次高温圧力水源、
１次飲料の流れを作るために高温圧力水を飲料材料の容器内に差し込むように前記１次水源と連絡している注入システム、
２次高温水源、及び
飲料を作るために前記２次水源からの熱水と前記１次飲料の流れとを混合するための混合容器
を備えた前記飲料システム。
【請求項１４】
第１のシールと第２のシールとを有する容器内に置かれた飲料材料及び水流から作成飲料を調製する方法であって、
水流を加圧し、
水流を加熱し、
水流を、第１のシールを通して飲料材料の容器内に注入し、更に
飲料が容器から流れ出ることができるように第２のシールを破る
諸段階を含んだ方法。
【請求項１５】
２次水流を更に備え、前記方法が前記飲料と前記２次水流とを混合する更なる段階を含む請求項１４の方法。
【請求項１６】
容器の第２のシールがミシン孔区域を含み、そして第２のシールを破る前記段階が前記ミシン孔区域を破ることを含む請求項１４の方法。
【請求項１７】
前記飲料材料がエスプレッソ粉末よりなり、そして注入段階が約９から約１４ｋｇ／ｃｍ２で容器を通る水の流れを提供する請求項１４の方法。
【請求項１８】
前記飲料材料がコーヒー粉末よりなり、そして注入段階が約２から約１４ｋｇ／ｃｍ２で容器を通る水の流れを提供する請求項１４の方法。
【請求項１９】
前記飲料材料が茶葉よりなり、そして注入段階が約２から約４ｋｇ／ｃｍ２で容器を通る水の流れを提供する請求項１４の方法。
【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
少なくとも１つのタイミング信号に応答して、複合同期信号中の擬似同期パルスを検出するように動作する検出回路と、
前記少なくとも１つのタイミング信号を生成するように動作するタイミング回路とを備えるビデオ・システムであって、
前記少なくとも１つのタイミング信号が、前記複合同期信号中の同期情報を利用せずに生成される、ビデオ・システム。
【請求項２】
前記検出回路が、前記擬似同期パルスを表す少なくとも１つの所定のビット・パターンを検出するように動作するフィルタを含む、請求項１に記載のビデオ・システム。
【請求項３】
前記検出回路が、ビデオ・フィールドの複数の連続した各ライン中の擬似同期パルスを検出するように動作する、請求項１に記載のビデオ・システム。
【請求項４】
ビデオ・システムにおけるコピー防止方式を非同期的に検出する方法であって、
少なくとも１つのタイミング信号に応答して、複合同期信号中の前記コピー防止方式に関連する擬似同期パルスを検出するステップと、
前記複合同期信号中の同期情報を利用せずに、前記少なくとも１つのタイミング信号を生成するステップとを含む、前記方法。
【請求項５】
前記検出ステップが、前記擬似同期パルスを表す少なくとも１つの所定のビット・パターンを検出することを含む、請求項４に記載の方法。
【請求項６】
前記検出ステップが、ビデオ・フィールドの複数の連続した各ライン中の擬似同期パルスを検出することを含む、請求項４に記載の方法。
【手続補正２】
【補正対象書類名】明細書
【補正対象項目名】発明の名称
【補正方法】変更
【補正の内容】
【発明の名称】ビデオ・システムおよびビデオ・システムにおけるコピー防止方式を非同期的に検出する方法
【手続補正３】
【補正対象書類名】明細書
【補正対象項目名】０００８
【補正方法】変更
【補正の内容】
【０００８】
本明細書に開示する例は、本発明の好ましい実施形態を示すものであり、決してこのような例を本発明の範囲を限定するものと解釈すべきではない。
特許請求の範囲と実施例との対応関係を実施例で使われている参照符号を用いて示すと以下の通りである。
（請求項１）
少なくとも１つのタイミング信号に応答して、複合同期信号中の擬似同期パルスを検出するように動作する検出回路（２００Ａ〜２００Ｃ）と、
前記少なくとも１つのタイミング信号を生成するように動作するタイミング回路（２００Ｄ〜２００Ｆ）とを備えるビデオ・システム（１００）であって、
前記少なくとも１つのタイミング信号が、前記複合同期信号中の同期情報を利用せずに生成される、ビデオ・システム。
（請求項２）
前記検出回路（２００Ａ〜２００Ｃ）が、前記擬似同期パルスを表す少なくとも１つの所定のビット・パターンを検出するように動作するフィルタ（３１）を含む、請求項１に記載のビデオ・システム（１００）。
（請求項３）
前記検出回路（２００Ａ〜２００Ｃ）が、ビデオ・フィールドの複数の連続した各ライン中の擬似同期パルスを検出するように動作する、請求項１に記載のビデオ・システム（１００）。
（請求項４）
ビデオ・システムにおけるコピー防止方式を非同期的に検出する方法であって、
少なくとも１つのタイミング信号に応答して、複合同期信号中の前記コピー防止方式に関連する擬似同期パルスを検出するステップと、
前記複合同期信号中の同期情報を利用せずに、前記少なくとも１つのタイミング信号を生成するステップとを含む、前記方法。
（請求項５）
前記検出ステップが、前記擬似同期パルスを表す少なくとも１つの所定のビット・パターンを検出することを含む、請求項４に記載の方法。
（請求項６）
前記検出ステップが、ビデオ・フィールドの複数の連続した各ライン中の擬似同期パルスを検出することを含む、請求項４に記載の方法。
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
表示装置によって復号されるべき複数のディジタル符号化画像と、ユーザ・コマンドを表すインディシア、或いは、再生装置または記録装置に対応する状態情報を表すインディシアとを含む信号を生成して前記表示装置に送信する方法であって、
信号供給源から複数の画像を有するディジタル符号化ビデオ信号を受信するステップと、
前記ユーザ・コマンドまたは前記状態情報を表すディジタル符号化インディシアを生成するステップと、
前記複数の画像のうちの少なくとも１つの画像を変更するステップであって、前記画像が前記遠隔表示装置によって復号され表示される時に前記ディジタル符号化インディシアが復号され表示されるように、前記画像の少なくとも一部を前記ディジタル符号化インディシアで置き換えることによって、前記画像を変更するステップと、
前記変更された画像を含む前記ディジタル符号化ビデオ信号を前記表示装置に送信するステップと、
を含む、前記方法。
【請求項２】
前記ディジタル符号化インディシアの少なくとも一部が、ＭＰＥＧ符号化イントラ・マクロブロックで構成されており、前記イントラ・マクロブロックが、前記変更される画像の前記少なくとも一部と置き換わる、請求項１記載の方法。
【請求項３】
前記画像が、複数のスライスを含む双方向予測画像であり、且つ、前記スライスの各々には複数の画像マクロブロックが含まれている、請求項２記載の方法。
【請求項４】
前記インディシアを構成する前記イントラ・マクロブロックによって置き換えられる前記双方向予測画像の前記少なくとも一部が、前記複数のスライスのうちの少なくとも１つのスライス内の前記複数の画像マクロブロックのうちの所定数の画像マクロブロックである、請求項３記載の方法。
【請求項５】
前記インディシアを構成する前記イントラ・マクロブロックの１つによって置き換えられる、前記複数のスライスの少なくとも１つのスライス内の前記複数の画像マクロブロックの少なくとも１つが、前記画像マクロブロックの対応するスライスの終端に配置されている、請求項４記載の方法。
【請求項６】
複数の画像を表すディジタル符号化ビデオ信号を生成して前記ディジタル符号化ビデオ信号を、これを復号するためのデコーダを有し復号されたビデオ信号を表示する表示装置に送る装置であって、
前記複数の画像を表すディジタル符号化ビデオ信号を受信する信号入力と、
ユーザ・コマンドを表すディジタル符号化インディシア、或いは、前記生成して送る装置に対応する状態情報を表すディジタル符号化インディシアを生成する生成器と、
前記生成器に結合されており、前記ユーザ・コマンドに応答して、或いは、前記状態情報の表示を必要とするイベントに応答して、前記ディジタル符号化ビデオ信号内の前記複数の画像のうちの少なくとも１つの画像を変更するプロセッサであって、前記少なくとも１つの画像が前記表示装置で復号され表示される際に前記ディジタル符号化インディシアも復号され表示されるように、前記少なくとも１つの画像の少なくとも一部を前記ディジタル符号化インディシアで置き換えることによって前記変更を行う、前記プロセッサと、
前記変更画像を有する前記ディジタル符号化ビデオ信号を含む出力信号を、前記表示装置に送信するための信号出力と、
を含む装置。
【請求項７】
前記ディジタル符号化インディシアの少なくとも一部が、ＭＰＥＧ符号化イントラ・マクロブロックで構成されており、前記イントラ・マクロブロックが、前記変更される画像の前記少なくとも一部と置き換わる、請求項６記載の装置。
【手続補正２】
【補正対象書類名】明細書
【補正対象項目名】発明の名称
【補正方法】変更
【補正の内容】
【発明の名称】インディシアを含む信号を生成して表示装置に送信する方法および復号されたビデオ信号を表示する表示装置に送る装置